(57)【要約】【課題】圧縮コイルバネの固定が容易で確実にすると共に、分解も容易なバネ機構及び小型電子機器の電池接片機構を提供することである。【解決手段】第１の面に突起部としての立ち曲げ部２ａ、２ｂが設けられた板状部材２に、線状弾性部材を変形させて成形された圧縮コイルバネ１が取り付けられる。上記板状部材２の立ち曲げ部２ａ、２ｂと、圧縮コイル１の延出部１ｃ、折り曲げ部１ｄ、延出部１ｅ、折り曲げ部１ｆ、延出部１ｇで構成される係合部とが係合する。上記板状部材２の第２の面に圧縮コイル１のバネ部１ｂが構成され、その底面のバネ座巻き部と板状部材２の端面２ｃが当て付けられる。【選択図】    図１
2005030485.tif 000002
【特許請求の範囲】
【請求項１】
第１の面と該第１の面とは反対側の第２の面を有し、上記第１の面に少なくとも１つ以上の突起部が設けられた板状部材と、線状弾性部材を変形させて成形されたバネ部材とを有するバネ機構に於いて、
上記バネ部材は、
上記突起部と係合する係合部と、
上記板状部材の端部と接する接合部と、
上記板状部材の上記第２の面上に構成された圧縮コイルバネ部と、を具備することを特徴とするバネ機構。
【請求項２】
上記圧縮コイルバネ部の底面は、上記板状部材の上記第２の面に接するように構成されていることを特徴とする請求項１に記載のバネ機構。
【請求項３】
上記バネ部材は上記圧縮コイルバネ部の底面にバネ座巻き部を有し、上記板状部材は上記バネ座巻き部に挿入されていることを特徴とする請求項１に記載のバネ機構。
【請求項４】
上記圧縮コイルバネ部は、円錐形、円筒形、鼓型若しくは樽型に成形されていることを特徴とする請求項２に記載のバネ機構。
【請求項５】
上記バネ部材は、上記板状部材の上記第１の面に於いて略同一平面内に構成されると共に、上記係合部による突起部との係合及び上記接合部による上記板状部材の端部との接合によって上記第１の平面内に於ける水平方向の移動が規制されるように構成されていることを特徴とする請求項１に記載のバネ機構。
【請求項６】
上記突起部に於ける上記板状部材の上記第１の面からの高さは、上記バネ部材を上記板状部材に組み付けるとき上記バネ部材を変形させる際に、上記変形が上記バネ部材の曲げ応力の限界値を超えないような高さであることを特徴とする請求項５に記載のバネ機構。
【請求項７】
上記係合部は略コの字形状、若しくは略Ｖ字形状に構成されることを特徴とする請求項５に記載のバネ機構。
【請求項８】
上記圧縮コイルバネ部は、上記バネ部材の両端に構成されていることを特徴とする請求項１に記載のバネ機構。
【請求項９】
外装部材に取り付けられ、第１の面及び該第１の面とは反対側の第２の面を有して上記第１の面に少なくとも１つ以上の突起部が設けられた板状部材と、導電性を有する線状の弾性部材を成形してその一部で電池切片部を構成するバネ部材と、を有する小型電子機器の電池切片機構に於いて、
上記バネ部材の両端は上記板状部材の上記第２の面上で電池切片部としての圧縮コイルバネを形成し、上記電池切片部を構成していない上記バネ部材の他の部分は上記板状部材の上記第１の面上に配置されると共に上記突起部と係合する係合部を有し、
上記バネ部材の電池切片部から上記バネ部材の他の部分に至る中間部分は、上記板状部材の端部と接し、上記係合部による上記突起部との係合と作用して上記バネ部材を上記板状部材に固定させるように構成されていることを特徴とする小型電子機器の電池切片機構。
【請求項１０】
上記板状部材は上記小型電子機器の本体に回転軸を介して回動可能なように取り付けられており、上記板状部材には該小型電子機器の電池収納室の電池蓋が取り付けられていることを特徴とする請求項９に記載の小型電子機器の電池切片機構。
【発明の詳細な説明】
【０００１】
【発明の属する技術分野】
本発明は、例えば乾電池に接する圧縮コイルバネを固定するためのバネ機構及び小型電子機器の電池切片機構に関するものである。
【０００２】
【従来の技術】
従来、例えば電子機器の電池収納室等にて、電池の陰極側に接触する端子板として、バネ機構が使用されている。そして、このバネ機構は、例えば上述した電池室内の端子板の所定箇所には、バネ機構を構成する圧縮コイルバネを取り付けるための爪が形成されている。
【０００３】
例えば、金属製陰極端子部材の打抜加工の際に一対のコ字状切線を切設し、当該各コ字状切線に囲繞された部分を折り起すと共に、当該各折り起し部分を所要の方向に彎曲させて当該端子部材１に一対の固定用彎曲脚片を設ける。次いで、端子部材にコイルバネの基端側の線輪を当該線輪の両側部分が上記両固定用彎曲脚片の彎曲内面と対峙する状態に当接させ、この当接させた状態において両固定用彎曲脚片を上記両側部分の方向に倒すことによって端子部材に対するコイルバネを固定する技術が知られている（例えば、特許文献１参照）。
【０００４】
【特許文献１】
特開平６−３１３４５６号公報
【０００５】
【発明が解決しようとする課題】
しかしながら、上述した特許文献１に記載の技術では、コイルバネの基端側の線輪を両固定用彎曲脚片の彎曲内面と対峙する状態に当接させ、コイルバネの取り付けの後工程として、該両固定用彎曲脚片を上記両側部分の方向に倒す、すなわちこの方向に折り曲げなければ、端子部材にコイルバネを固定することができないものであった。
【０００６】
また、上記特許文献１の技術では、両固定用彎曲脚片をコイルバネの線輪の両側部分の方向に折り曲げて固定するため、一旦コイルバネを固定してしまうと、両固定用彎曲脚片を元の方向に曲げを戻さなければコイルバネを取り外すことができない。したがって、こうしたバネ機構を分解するのは非常に困難であり、また時間がかかるものであった。
【０００７】
本発明は、上記実状に鑑みてなされたものであり、圧縮コイルバネの固定が容易で確実にすると共に、分解も容易なバネ機構及び小型電子機器の電池接片機構を提供することを目的とする。
【０００８】
【課題を解決するための手段】
すなわち請求項１に記載の発明は、第１の面と該第１の面とは反対側の第２の面を有し、上記第１の面に少なくとも１つ以上の突起部が設けられた板状部材と、線状弾性部材を変形させて成形されたバネ部材とを有するバネ機構に於いて、上記バネ部材は、上記突起部と係合する係合部と、上記板状部材の端部と接する接合部と、上記板状部材の上記第２の面上に構成された圧縮コイルバネ部と、を具備することを特徴とする。
【０００９】
このような構成とすることにより、圧縮コイルバネの固定が容易で確実にすると共に、分解も容易で時間がかかることのないバネ機構及び小型電子機器の電池接片機構を提供することができる。
【００１０】
請求項２に記載の発明は、請求項１に記載の発明に於いて、上記圧縮コイルバネ部の底面は、上記板状部材の上記第２の面に接するように構成されていることを特徴とする。
【００１１】
このような構成とすることにより、圧縮コイルバネの固定が容易で確実にすることができる。
【００１２】
請求項３に記載の発明は、請求項１に記載の発明に於いて、上記バネ部材は上記圧縮コイルバネ部の底面にバネ座巻き部を有し、上記板状部材は上記バネ座巻き部に挿入されていることを特徴とする。
【００１３】
このような構成とすることにより、圧縮コイルバネの固定を確実にすることができる。
【００１４】
請求項４に記載の発明は、請求項２に記載の発明に於いて、上記圧縮コイルバネ部は、円錐形、円筒形、鼓型若しくは樽型に成形されていることを特徴とする。
【００１５】
このような構成とすることにより、コイルバネ部の底面が円形状であれば、圧縮コイルバネの固定が容易で確実にすることができる。
【００１６】
請求項５に記載の発明は、請求項１に記載の発明に於いて、上記バネ部材は、上記板状部材の上記第１の面に於いて略同一平面内に構成されると共に、上記係合部による突起部との係合及び上記接合部による上記板状部材の端部との接合によって上記第１の平面内に於ける水平方向の移動が規制されるように構成されていることを特徴とする。
【００１７】
このような構成とすることにより、圧縮コイルバネの固定が容易で確実にすると共に、分解も容易となる。
【００１８】
請求項６に記載の発明は、請求項５に記載の発明に於いて、上記突起部に於ける上記板状部材の上記第１の面からの高さは、上記バネ部材を上記板状部材に組み付けるとき上記バネ部材を変形させる際に、上記変形が上記バネ部材の曲げ応力の限界値を超えないような高さであることを特徴とする。
【００１９】
このような構成とすることにより、圧縮コイルバネの固定を容易で確実にすると共に、分解も容易となる。
【００２０】
請求項７に記載の発明は、請求項５に記載の発明に於いて、上記係合部は略コの字形状、若しくは略Ｖ字形状に構成されることを特徴とする。
【００２１】
このような構成とすることにより、圧縮コイルバネの固定を容易で確実にすることができる。
【００２２】
請求項８に記載の発明は、請求項１に記載の発明に於いて、上記圧縮コイルバネ部は、上記バネ部材の両端に構成されていることを特徴とする。
【００２３】
このような構成とすることにより、圧縮コイルバネの取り付け及び分解が容易となる。
【００２４】
請求項９に記載の発明は、外装部材に取り付けられ、第１の面及び該第１の面とは反対側の第２の面を有して上記第１の面に少なくとも１つ以上の突起部が設けられた板状部材と、導電性を有する線状の弾性部材を成形してその一部で電池切片部を構成するバネ部材と、を有する小型電子機器の電池切片機構に於いて、上記バネ部材の両端は上記板状部材の上記第２の面上で電池切片部としての圧縮コイルバネを形成し、上記電池切片部を構成していない上記バネ部材の他の部分は上記板状部材の上記第１の面上に配置されると共に上記突起部と係合する係合部を有し、上記バネ部材の電池切片部から上記バネ部材の他の部分に至る中間部分は、上記板状部材の端部と接し、上記係合部による上記突起部との係合と作用して上記バネ部材を上記板状部材に固定させるように構成されていることを特徴とする。
【００２５】
このような構成とすることにより、圧縮コイルバネの固定が容易で確実にすると共に、分解も容易で時間がかかることのない小型電子機器の電池接片機構を提供することができる。
【００２６】
請求項１０に記載の発明は、請求項９に記載の発明に於いて、上記板状部材は上記小型電子機器の本体に回転軸を介して回動可能なように取り付けられており、上記板状部材には該小型電子機器の電池収納室の電池蓋が取り付けられていることを特徴とする。
【００２７】
このような構成とすることにより、小型電子機器本体に上記板状部材が取り付けられたままでも圧縮コイルバネの固定及び分解も行うことが可能である。
【００２８】
【発明の実施の形態】
以下、図面を参照して本発明の実施の形態を説明する。
【００２９】
（第１の実施の形態）
図１は、本発明の第１の実施の形態であるバネ機構の構成を示したもので、（ａ）は側面図、（ｂ）は（ａ）の板状部材の裏面側から見た平面図である。
【００３０】
図１に於いて、圧縮コイルバネ１は、線状弾性部材を変形させて成形されたバネ部材であり、図示されない乾電池等の負極用接片部を構成するもので、その一端部である接片部１ａから連続した渦巻き状の螺旋部であるバネ部１ｂを有している。上記バネ部１ｂの底面部は、バネが二重巻きに構成されているバネ座巻き部を有している。
【００３１】
また、上記バネ部１ｂの底面部には、この底面部から直線状に延出された延出部１ｃが形成されている。更に、この延出部１ｃから圧縮コイルバネ１の他端部に向けて、略直角に折り曲げられた折り曲げ部１ｄ、直線状の延出部１ｅ、略直角に折り曲げられた折り曲げ部１ｆ、そして直線状の延出部１ｇが、連続的に形成されている。
【００３２】
これら連続して形成される延出部１ｃ、折り曲げ部１ｄ、延出部１ｅ、折り曲げ部１ｆ、延出部１ｇは、圧縮コイルバネ１のバネ部１ｂと共に板状部材２を挟み込むための係合部を構成している。そして、この場合、係合部は略コの字形状に設けられている。
【００３３】
一方、板状部材２は、図１（ａ）に於いて下側を第１の面とし、上側を第２の面とした場合、第２の面側が圧縮コイルバネ１のバネ部１ｂと、第１の面側が圧縮コイルバネ１の係合部と接触するようになっている。そして、板状部材２は、圧縮コイルバネ１のバネ座巻き部を構成する二重巻きの部分の間に挟み込まれる。これにより、鉛直方向への移動が規制される。
【００３４】
また、この板状部材２は、その端面２ｃに圧縮コイルバネ１のバネ座巻き部が当て付けられた状態のときに、上記折り曲げ部１ｄ及び１ｆと隣接する位置に、突起部としての立ち曲げ部２ａ及び２ｂを形成している。これら立ち曲げ部２ａ、２ｂは、抜けストッパ及び圧縮コイルバネ１の差し込み方向に対する左右ストッパとなる。
【００３５】
上記立ち曲げ部２ａ及び２ｂは、板状部材２の第１の面に形成されるもので、該板状部材２の第１の面からの高さは、圧縮コイルバネ１を板状部材２に組み付けるとき、圧縮コイルバネ１の係合部が上記立ち曲げ部２ａ及び２ｂを乗り越すために変形させる必要があるが、上記変形が圧縮コイルバネ１の曲げ応力の限界値を超えないような値とする。
【００３６】
このような構成に於いて、板状部材２が圧縮コイルバネ１のバネ座巻き部を構成する二重巻きの部分の間に挟み込まれる。そして、圧縮コイルバネ１が立ち曲げ部２ａ及び２ｂの形成されている方向に差し込まれ、板状部材２の端面２ｃに、圧縮コイルバネ１のバネ座巻き部の内周側が当て付けられるまで、図１（ａ）、（ｂ）に於いて左側に、圧縮コイルバネ１が差し込まれる。
【００３７】
このとき、延出部１ｅを中心に係合部を構成する折り曲げ部１ｄ、１ｆは、立ち曲げ部２ａ、２ｂを乗り越えて、該立ち曲げ部２ａ、２ｂに接触するように係合して組み付けられる。
【００３８】
このようにバネ機構が構成されることにより、圧縮コイルバネ１は、その鉛直方向への移動はバネ座巻き部により規制される。また、図１（ｂ）に於いて、左右方向は、板状部材２の端部２ｃと立ち曲げ部２ａ、２ｂによって規制され、更に上下方向は立ち曲げ部２ａと立ち曲げ部２ｂとによって規制されている。したがって、圧縮コイルバネ１を、板状部材２に確実に固定することができる。
【００３９】
尚、この圧縮コイルバネ１を板状部材２から取り外す場合は、係合部を構成する延出部１ｅを持って、立ち曲げ部２ａ、２ｂから折り曲げ部１ｄ、１ｆとの係合を外す。次いで、係合部側から接合部側に圧縮コイルバネ１を移動（差し込み方向と反対方向に移動）させれば、容易に板状部材２から取り外すことができる。
【００４０】
また、上述した第１の実施の形態では、立ち曲げ部を折り曲げ部の数に合わせて２つとしたが、延出部１ｅに沿って連続して形成された１つの立ち曲げ部として構成するようにしてもよい。
【００４１】
（第２の実施の形態）
次に、本発明の第２の実施の形態を説明する。
【００４２】
図２は、本発明の第１の実施の形態であるバネ機構の構成を示したもので、（ａ）は側面図、（ｂ）は（ａ）の板状部材の裏面側から見た平面図である。
【００４３】
図２に於いて、圧縮コイルバネ３は、線状弾性部材を変形させて成形されたバネ部材であり、図示されない乾電池等の負極用接片部を構成するもので、その一端部である接片部３ａから連続した渦巻き状の螺旋部であるバネ部３ｂを有している。上記バネ部３ｂの底面部は、バネが二重巻きに構成されているバネ座巻き部を有している。
【００４４】
また、上記バネ部３ｂの底面部には、この底面部から直線状に延出された延出部３ｃが形成されている。更に、この延出部３ｃから圧縮コイルバネ１の他端部に向けて、鋭角状に折り曲げられた折り曲げ部３ｄ、直線状の延出部３ｅが、連続的に形成されている。
【００４５】
これら連続して形成される延出部３ｃ、折り曲げ部３ｄ、延出部３ｅは、圧縮コイルバネ３のバネ部３ｂと共に板状部材４を挟み込むための係合部を構成している。そして、この場合、係合部は略Ｖ字形状に設けられている。
【００４６】
一方、板状部材４は、図２（ａ）に於いて下側を第１の面とし、上側を第２の面とした場合、第２の面側が圧縮コイルバネ３のバネ部３ｂと、第１の面側が圧縮コイルバネ３の係合部と接触するようになっている。そして、板状部材４は、圧縮コイルバネ３のバネ座巻き部を構成する二重巻きの部分の間に挟み込まれる。これにより、鉛直方向への移動が規制される。
【００４７】
また、この板状部材４は、その端面４ｂに圧縮コイルバネ３のバネ座巻き部が当て付けられた状態のときに、上記折り曲げ部３ｄと隣接する位置に、突起部としての立ち曲げ部４ａを形成している。この立ち曲げ部４ａは、抜けストッパ及び圧縮コイルバネ３の差し込み方向に対する左右ストッパとなる。
【００４８】
上記立ち曲げ部４ａは、板状部材４の第１の面に形成されるもので、該板状部材４の第１の面からの高さは、圧縮コイルバネ３を板状部材４に組み付けるとき、圧縮コイルバネ３の係合部が上記立ち曲げ部２ａ及び２ｂを乗り越すために変形させる必要があるが、上記変形が圧縮コイルバネ３の曲げ応力の限界値を超えないような値とする。
【００４９】
このような構成に於いて、板状部材４が圧縮コイルバネ３のバネ座巻き部を構成する二重巻きの部分の間に挟み込まれる。そして、圧縮コイルバネ３が立ち曲げ部４ａの形成されている方向に差し込まれ、板状部材４の端面４ｂに、圧縮コイルバネ３のバネ座巻き部の内周側が当て付けられるまで、図２（ａ）、（ｂ）に於いて左側に、圧縮コイルバネ３が差し込まれる。
【００５０】
このとき、係合部を構成する折り曲げ部３ｄは、立ち曲げ部４ａを乗り越えて、該立ち曲げ部４ａに接触するように係合して組み付けられる。
【００５１】
このようにバネ機構が構成されることにより、圧縮コイルバネ３は、その鉛直方向への移動はバネ座巻き部により規制される。また、図２（ｂ）に於いて、左右方向は、板状部材４の端部４ｂと立ち曲げ部４ａによって規制され、更に上下方向は立ち曲げ部４ａによって規制されている。したがって、圧縮コイルバネ３を、板状部材４に確実に固定することができる。
【００５２】
尚、この圧縮コイルバネ３を板状部材４から取り外す場合は、係合部を構成する折り曲げ部３ｄを持って立ち曲げ部４ａとの係合を外す。次いで、係合部側から接合部側に圧縮コイルバネ３を移動（差し込み方向と反対方向に移動）させれば、容易に板状部材４から取り外すことができる。
【００５３】
（第３の実施の形態）
上述した第１及び第２の実施の形態は、１つの乾電池に対する負極用接片部の例で説明したが、これに限られることなく、複数、例えば２つの乾電池に対応するものであってもよい。
【００５４】
図３は、本発明の第３の実施の形態であるバネ機構の構成を示したもので、（ａ）は板状部材の表面側から見た平面図、（ｂ）は（ａ）の側面図である。
【００５５】
図３に於いて、圧縮コイルバネ７は、線状弾性部材を変形させて成形されたバネ部材であり、図示されない乾電池等の接片部を構成するものである。そして、その一端部である接片部７ａから連続した渦巻き状の螺旋部である第１のバネ部７ｂを有している。上記第１のバネ部７ｂの底面部は、バネが二重巻きに構成されているバネ座巻き部を有している。
【００５６】
上記第１のバネ部７ｂの底面部には、この底面部から直線状に延出された延出部７ｃが形成されている。更に、この延出部１ｃから圧縮コイルバネ１の他端部に向けて、略直角に折り曲げられた折り曲げ部７ｄ、直線状の延出部７ｅ、略直角に折り曲げられた折り曲げ部７ｆ、そして直線状の延出部７ｇを介して、その他端部である接片部７ｉまで連続した渦巻き状の螺旋部である第２のバネ部７ｈが、連続的に形成されている。上記第２のバネ部７ｈの底面部も、上記第１のバネ部７ｂの底面部と同様に、バネが二重巻きに構成されているバネ座巻き部を有している。
【００５７】
これら連続して形成される延出部７ｃ、折り曲げ部７ｄ、延出部７ｅ、折り曲げ部７ｆ、延出部７ｇは、圧縮コイルバネ７の第１及び第２のバネ部７ｂ及び７ｈと共に板状部材８を挟み込むための係合部を構成している。そして、この場合、係合部は略コの字形状に設けられている。
【００５８】
一方、板状部材８は、図３（ｂ）に於いて右側を第１の面とし、左側を第２の面とした場合、第２の面側が圧縮コイルバネ７の第１及び第２のバネ部７ｂ及び７ｈと、第１の面側が圧縮コイルバネ７の係合部と接触するようになっている。そして、板状部材８は、圧縮コイルバネ７のバネ座巻き部を構成する二重巻きの部分の間に挟み込まれる。これにより、それぞれ圧縮コイルバネ７の鉛直方向への移動が規制される。
【００５９】
また、この板状部材８は、その端面８ｅ及び８ｆに圧縮コイルバネ７の２つのバネ座巻き部が当て付けられた状態のときに、上記折り曲げ部７ｄ及び７ｆの近傍に切り欠き８ａ及び８ｂを形成している。そして、これら切り欠き８ａ及び８ｂ内に、上記折り曲げ部７ｄ及び７ｆと係合するように、板状部材８の第１の面側に折り曲げられて突起部としての立ち曲げ部８ｃ及び８ｄを形成している。これら立ち曲げ部８ｃ、８ｄは、抜けストッパ及び圧縮コイルバネ７の差し込み方向に対する左右ストッパとなる。
【００６０】
上記立ち曲げ部８ｃ及び８ｄの第１の面からの高さは、圧縮コイルバネ７を板状部材８に組み付けるとき、圧縮コイルバネ７の係合部が上記立ち曲げ部２ａ及び２ｂを乗り越すために変形させる必要があるが、上記変形が圧縮コイルバネ７の曲げ応力の限界値を超えないような値とする。
【００６１】
このような構成に於いて、板状部材８が圧縮コイルバネ７のバネ座巻き部を構成する二重巻きの部分の間に挟み込まれる。そして、圧縮コイルバネ７が立ち曲げ部８ｃ及び８ｄの形成されている方向に差し込まれ、板状部材８の端面８ｅ及び８ｆに、圧縮コイルバネ７の２つのバネ座巻き部の内周側が当て付けられるまで、図３（ａ）に於いて右側に、圧縮コイルバネ７が差し込まれる。
【００６２】
このとき、延出部７ｅを中心に係合部を構成する折り曲げ部７ｄ、７ｆは、立ち曲げ部８ｃ、８ｄを乗り越えて、該立ち曲げ部８ｃ、８ｄに接触するように係合して組み付けられる。
【００６３】
このようにバネ機構が構成されることにより、圧縮コイルバネ７は、その鉛直方向への移動はバネ座巻き部により規制される。また、図３（ａ）に於いて、左右方向は、板状部材８の端部８ｅ、８ｆと立ち曲げ部８ｃ、８ｄによって規制され、更に上下方向は立ち曲げ部８ｃと立ち曲げ部８ｄとによって規制されている。したがって、圧縮コイルバネ７を、板状部材８に確実に固定することができる。
【００６４】
尚、この圧縮コイルバネ７を板状部材８から取り外す場合は、係合部を構成する延出部７ｅを持って、立ち曲げ部８ｃ、８ｄから折り曲げ部７ｄ、７ｆとの係合を外す。次いで、係合部側から接合部側に圧縮コイルバネ７を移動（差し込み方向と反対方向に移動）させれば、容易に板状部材８から取り外すことができる。
【００６５】
（第４の実施の形態）
次に、本発明の第４の実施の形態について説明する。
【００６６】
この第４の実施の形態は、上述したバネ機構が小型電子機器の電池接片機構として適用された例について説明するものである。
【００６７】
図４は本発明の第４の実施の形態に係る小型電子機器としての音声記録再生装置の具体的な構成を示した外観図であり、（ａ）は表面側を示した斜視図、（ｂ）は表面側を示した図、（ｃ）は裏面側を示した図、（ｄ）は電池蓋部分を拡大して示した図である。
【００６８】
音声記録再生装置置の本体１１の表面側には、例えばＬＣＤ等で構成されて種々の情報を表示する液晶画面１２が設けられている。上記液晶画面１２の下方には、モード切り換え等のメニュー釦１３が配置されている。更に、本体１１の側面側には、録音、再生時に使用される各種操作釦１４が配設されている。そして、本体１１の裏面側には、内蔵スピーカ１５が設けられている。
【００６９】
また、本体１１の上面部には、内蔵マイク１９とイヤホンジャック２０とが設けられている。一方、本体１１の下方には、電池を収納するための電池蓋２１が設けられている。この電池蓋２１は、図示されない回転軸を中心に本体１１に開閉自在に設けられている。そして、この場合、電池蓋２１内に２本の乾電池を収納するための電池室２２が設けられている。
【００７０】
図５は、上述した電池蓋２１の内部構造を示した図である。
【００７１】
図５に於いて、電池蓋２１内には、圧縮コイルバネ２４を取り付けるための切り欠き２３ａ及び２３ｂが形成された板状部材としての金属板２３が取り付けられている。
【００７２】
圧縮コイルバネ２４は、線状弾性部材を変形させて成形されたバネ部材であり、図示されない乾電池等の接片部を構成するものである。そして、その一端部である電池接片部２４ａから連続した渦巻き状の螺旋部である第１のバネ部２４ｂを有している。上記第１のバネ部２４ｂの底面部は、バネが二重巻きに構成されているバネ座巻き部を有している。
【００７３】
上記第１のバネ部２４ｂの底面部には、この底面部から直線状に延出された延出部２４ｃが形成されている。更に、この延出部２４ｃから圧縮コイルバネ２４の他端部に向けて、略直角に折り曲げられた折り曲げ部２４ｄ、直線状の延出部２４ｅ、略直角に折り曲げられた折り曲げ部２４ｆ、そして直線状の延出部２４ｇを介して、その他端部である電池接片部２４ｉまで連続した渦巻き状の螺旋部である第２のバネ部２４ｈが、連続的に形成されている。上記第２のバネ部２４ｈの底面部も、上記第１のバネ部２４ｂの底面部と同様に、バネが二重巻きに構成されているバネ座巻き部を有している。
【００７４】
これら連続して形成される延出部２４ｃ、折り曲げ部２４ｄ、延出部２４ｅ、折り曲げ部２４ｆ、延出部２４ｇは、圧縮コイルバネ２４の第１及び第２のバネ部２４ｂ及び２４ｈと共に板状部材としての金属板２３を挟み込むための係合部を構成している。そして、この場合、係合部は略コの字形状に設けられている。
【００７５】
一方、金属板２３は、圧縮コイルバネ２４のバネ座巻き部を構成する二重巻きの部分の間に挟み込まれる。これにより、それぞれ圧縮コイルバネ２４の鉛直方向への移動が規制される。
【００７６】
また、この金属板２３は、その端面２３ｃ及び２３ｄに圧縮コイルバネ２４の２つのバネ座巻き部が当て付けられた状態のときに、上記折り曲げ部２４ｄ及び２４ｆの近傍に切り欠き２３ｅ及び２３ｆを形成している。そして、これら切り欠き２３ｅ及び２３ｆ内に、上記折り曲げ部２４ｄ及び２４ｆと係合するように、電池蓋２１側に折り曲げられて突起部としての立ち曲げ部２３ｇ及び２３ｈを形成している。これら立ち曲げ部２３ｇ、２３ｈは、抜けストッパ及び圧縮コイルバネ２４の差し込み方向に対する左右ストッパとなる。
【００７７】
上記立ち曲げ部２３ｇ及び２３ｈの高さは、圧縮コイルバネ２４を金属板２３に組み付けるとき、圧縮コイルバネ２４の係合部が上記立ち曲げ部２ａ及び２ｂを乗り越すために変形させる必要があるが、上記変形が圧縮コイルバネ２４の曲げ応力の限界値を超えないような値とする。
【００７８】
このような構成の小型電子機器の電池接片機構の取り付け及び取り外し方は、上述した第３の実施の形態に於けるバネ機構と同様であるので説明は省略する。
【００７９】
尚、上述した第１乃至第４の実施の形態では、何れも圧縮コイルバネのバネ部は渦巻き状として説明したが、その形状は、例えば円錐形、円筒形、鼓型、或いは樽型に成形されているものであってもよい。
【００８０】
更に、上述した第１乃至実施の形態では、乾電池等の電池接片しとて圧縮コイルを使用しているが、これに限られるものではない。
【００８１】
また、本発明は、上述した第１乃至第４の実施の形態以外にも、本発明の要旨を逸脱しない範囲で種々の変形の実施が可能である。
【００８２】
【発明の効果】
以上のように本発明によれば、圧縮コイルバネの固定が容易で確実にすると共に、分解も容易なバネ機構及び小型電子機器の電池接片機構を提供することができる。
【００８３】
そして、請求項１に記載の発明によれば、圧縮コイルバネの固定が容易で確実にすると共に、分解も容易で時間がかかることのないバネ機構及び小型電子機器の電池接片機構を提供することができる。
【００８４】
請求項２に記載の発明によれば、圧縮コイルバネの固定が容易で確実にすることができる。
【００８５】
請求項３に記載の発明によれば、圧縮コイルバネの固定を確実にすることができる。
【００８６】
請求項４に記載の発明によれば、コイルバネ部の底面が円形状であれば、圧縮コイルバネの固定が容易で確実にすることができる。
【００８７】
請求項５に記載の発明によれば、圧縮コイルバネの固定が容易で確実にすると共に、分解も容易となる。
【００８８】
請求項６に記載の発明によれば、圧縮コイルバネの固定を容易で確実にすると共に、分解も容易となる。
【００８９】
請求項７に記載の発明によれば、圧縮コイルバネの固定を容易で確実にすることができる。
【００９０】
請求項８に記載の発明によれば、圧縮コイルバネの取り付け及び分解が容易となる。
【００９１】
請求項９に記載の発明によれば、圧縮コイルバネの固定が容易で確実にすると共に、分解も容易で時間がかかることのない小型電子機器の電池接片機構を提供することができる。
【００９２】
請求項１０に記載の発明によれば、小型電子機器本体に上記板状部材が取り付けられたままでも圧縮コイルバネの固定及び分解も行うことが可能である。
【図面の簡単な説明】
【図１】本発明の第１の実施の形態であるバネ機構の構成を示したもので、（ａ）は側面図、（ｂ）は（ａ）の板状部材の裏面側から見た平面図である。
【図２】本発明の第１の実施の形態であるバネ機構の構成を示したもので、（ａ）は側面図、（ｂ）は（ａ）の板状部材の裏面側から見た平面図である。
【図３】本発明の第３の実施の形態であるバネ機構の構成を示したもので、（ａ）は板状部材の表面側から見た平面図、（ｂ）は（ａ）の側面図である。
【図４】本発明の第４の実施の形態に係る小型電子機器としての音声記録再生装置の具体的な構成を示した外観図であり、（ａ）は表面側を示した斜視図、（ｂ）は表面側を示した図、（ｃ）は裏面側を示した図、（ｄ）は電池蓋部分を拡大して示した図である。
【図５】図４の電池蓋２１の内部構造を示した図である。
【符号の説明】
１…圧縮コイルバネ、１ａ…接片部、１ｂ…バネ部、１ｃ、１ｅ、１ｇ…延出部、１ｄ、１ｆ…折り曲げ部、２…板状部材、２ａ、２ｂ…立ち曲げ部、２ｃ…端面、３…圧縮コイルバネ、３ａ…接片部、３ｂ…バネ部、３ｃ、３ｅ…延出部、３ｄ…折り曲げ部、４…板状部材、４ａ…立ち曲げ部、４ｂ…端面、７…圧縮コイルバネ、７ａ…接片部、７ｂ…バネ部、７ｃ、７ｅ、７ｇ…延出部、７ｄ、７ｆ…折り曲げ部、８…板状部材、８ａ、８ｂ…切り欠き、８ｃ、８ｄ…立ち曲げ部、８ｅ、８ｆ…端面、１１本体、２１…電池蓋、２２…電池室。
【図１】
2005030485.tif 000003
【図２】
2005030485.tif 000004
【図３】
2005030485.tif 000005
【図４】
2005030485.tif 000006
【図５】
2005030485.tif 000007